【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
テープ状の磁気記録媒体と、
カートリッジメモリを含むカートリッジであって、
前記磁気記録媒体は前記磁気記録媒体の長手方向に延在する複数のサーボバンドを有し、
前記磁気記録媒体を１／２インチ幅かつ２５０ｍｍの長さに切り出し、温度２５℃相対湿度５０％の環境下においた第１のサンプルの長手方向に０．２Ｎ、０．６Ｎ、１．０Ｎの順で荷重をかけ、０．２Ｎ、１．０Ｎの荷重における前記第１のサンプルの幅を測定し、以下の式より求めた、前記磁気記録媒体の長手方向のテンション変化に対する前記磁気記録媒体の幅方向の寸法変化量Δｗが、７００≦Δｗ≦８０００［ｐｐｍ／Ｎ］であり、
【数１】
2021007063.tif 000001
（但し、式中、Ｄ（０．２Ｎ）及びＤ（１．０Ｎ）はそれぞれ、前記第１のサンプルの長手方向に０．２Ｎ及び１．０Ｎの荷重をかけたときの前記第１のサンプルの幅を示す。）
前記カートリッジメモリが、
前記カートリッジが記録再生装置にロードされた状態において前記記録再生装置と通信を行う通信部と、
情報を記憶する記憶部と、
前記記録再生装置の要求に応じて、前記記憶部から前記情報を読み出し、前記通信部を介して前記記録再生装置に送信する制御部と
を備え、
前記情報は、前記磁気記録媒体の長手方向にかかるテンションを調整するための調整情報を含むカートリッジ。
【請求項２】
前記カートリッジメモリはさらに整流・電源回路を備える請求項１に記載のカートリッジ。
【請求項３】
前記カートリッジメモリはさらにクロック回路を備える請求項１から２のいずれかに記載のカートリッジ。
【請求項４】
前記カートリッジメモリはさらに検波・変調回路を備える請求項１から３のいずれかに記載のカートリッジ。
【請求項５】
前記記憶部が不揮発性メモリを含む請求項１から４のいずれかに記載のカートリッジ。
【請求項６】
前記記憶部が前記制御部の作業領域として用いられる揮発性のメモリを含む請求項１から５のいずれかに記載のカートリッジ。
【請求項７】
前記記憶部が複数のバンクを有し、前記複数のバンクの内の一部のバンクにより第１の記憶領域が構成され、前記複数のバンクの前記第１の記憶領域を構成するバンク以外のバンクにより第２の記憶領域が構成される請求項６に記載のカートリッジ。
【請求項８】
前記調整情報は、前記磁気記録媒体に対するデータ記録時に取得される請求項１から７のいずれかに記載のカートリッジ。
【請求項９】
前記調整情報は、前記磁気記録媒体の幅情報を含む請求項１から８のいずれかに記載のカートリッジ。
【請求項１０】
前記調整情報は、前記複数のサーボバンドの隣接するサーボバンド間の距離情報を含む請求項１から８のいずれかに記載のカートリッジ。
【請求項１１】
前記調整情報は、前記磁気記録媒体の周囲の環境情報を含む請求項１から１０のいずれかに記載のカートリッジ。
【請求項１２】
前記調整情報は、前記磁気記録媒体の周囲の温度情報を含む請求項１から１０のいずれかに記載のカートリッジ。
【請求項１３】
前記調整情報は、前記磁気記録媒体の周囲の湿度情報を含む請求項１から１０のいずれかに記載のカートリッジ。
【請求項１４】
前記記憶部が第１の記憶領域と第２の記憶領域を有し、前記第１の記憶領域が前記カートリッジの製造情報を記憶し、前記第２の記憶領域が前記調整情報を記憶する請求項１から６のいずれかに記載のカートリッジ。
【請求項１５】
前記調整情報は、前記磁気記録媒体のテンション情報を含む請求項１から１４のいずれかに記載のカートリッジ。
【請求項１６】
前記情報は、前記カートリッジの使用履歴情報を含む請求項１から１５のいずれかに記載のカートリッジ。
【請求項１７】
前記情報は、管理台帳データ、Index情報、または前記磁気記録媒体に記憶された動画のサムネイル情報のうち少なくとも一つを含む請求項１から１６のいずれかに記載のカートリッジ。
【請求項１８】
前記記憶部が３２ＫＢ以上の記憶容量を有する請求項１から１７のいずれかに記載のカートリッジ。
【請求項１９】
前記通信部がアンテナコイルを有する請求項１から１８のいずれかに記載のカートリッジ。
【請求項２０】
前記サーボバンドにはサーボ信号が書き込まれている請求項１から１９のいずれかに記載のカートリッジ。
【請求項２１】
前記サーボバンドにはハの字状のサーボパターンが記録されている請求項２０に記載のカートリッジ。
【請求項２２】
前記サーボバンドの数が５以上である請求項１から２１のいずれかに記載のカートリッジ。
【請求項２３】
前記サーボバンドの数が９以上である請求項１から２１のいずれかに記載のカートリッジ。
【請求項２４】
前記サーボバンドの幅が１０μｍ以上９５μｍ以下である請求項１から２３のいずれかに記載のカートリッジ。
【請求項２５】
前記サーボバンドの幅が１０μｍ以上６０μｍ以下である請求項１から２３のいずれかに記載のカートリッジ。
【請求項２６】
前記カートリッジメモリは、前記カートリッジが前記記録再生装置にロードされた状態において前記記録再生装置のリーダライタと対向する位置に配置される請求項１から２５のいずれかに記載のカートリッジ。
【請求項２７】
前記磁気記録媒体を１／２インチ幅かつ２５０ｍｍの長さに切り出し、温度２９℃相対湿度２４％の一定環境下においた第２のサンプルの長手方向に０．２Ｎの荷重をかけ、前記一定環境に前記第２のサンプルを馴染ませた後、温度２９℃を保持したまま、８０％、２４％、１０％の順で相対湿度を変え、８０％、１０％における前記第２のサンプルの幅を測定し、以下の式より求めた、前記磁気記録媒体の湿度膨張係数βが、β≦５［ｐｐｍ／％ＲＨ］である請求項１から２６のいずれかに記載のカートリッジ。
【数２】
2021007063.tif 000002
（但し、式中、Ｄ（８０％）、Ｄ（１０％）はそれぞれ、湿度８０％、１０％における前記第２のサンプルの幅を示す。）
【請求項２８】
前記磁気記録媒体を１／２インチ幅かつ２５０ｍｍの長さに切り出し、温度２９℃相対湿度２４％の一定環境下においた前記第３のサンプルの長手方向に０．２Ｎの荷重をかけ、前記一定環境に前記第３のサンプルを馴染ませた後、相対湿度２４％を保持したまま、４５℃、２９℃、１０℃の順で温度を変え、４５℃、１０℃における前記第３のサンプルの幅を測定し、以下の式より求めた、前記磁気記録媒体の温度膨張係数αが、６［ｐｐｍ／℃］≦α≦８［ｐｐｍ／℃］である請求項１から２７のいずれかに記載のカートリッジ。
【数３】
2021007063.tif 000003
（但し、式中、Ｄ（４５℃）、Ｄ（１０℃）はそれぞれ、温度４５℃、１０℃における前記第３のサンプルの幅を示す。）
【請求項２９】
前記磁気記録媒体を１／２インチ幅かつ１５０ｍｍの長さに切り出した第４のサンプルの長手方向に引張速度０．５ｍｍ／ｍｉｎで前記第４のサンプルを引張り、前記第４のサンプルの伸びと引張荷重を計測しグラフ化したときに、前記引張荷重が０．２Ｎ以上かつ前記伸びと前記引張荷重が直線関係となる領域における前記引張荷重の最大値から求めた、前記磁気記録媒体の長手方向の弾性限界値σＭＤが、０．８［Ｎ］≦σＭＤである請求項１から２８のいずれかに記載のカートリッジ。
【請求項３０】
前記磁気記録媒体を１／２インチ幅かつ１５０ｍｍの長さに切り出した前記第４のサンプルの長手方向に引張速度５．０ｍｍ／ｍｉｎで前記第４のサンプルを引張り、前記第４のサンプルの伸びと引張荷重を計測しグラフ化したときに、前記引張荷重が０．２Ｎ以上かつ前記伸びと前記引張荷重が直線関係となる領域における前記引張荷重の最大値から求めた、前記磁気記録媒体の長手方向の第２の弾性限界値が、前記弾性限界値σＭＤと等しい請求項２９に記載のカートリッジ。
【請求項３１】
前記寸法変化量Δｗが、７５０≦Δｗ≦８０００［ｐｐｍ／Ｎ］である請求項１から３０のいずれかに記載のカートリッジ。
【請求項３２】
前記寸法変化量Δｗが、８００≦Δｗ≦８０００［ｐｐｍ／Ｎ］である請求項１から３０のいずれかに記載のカートリッジ。
【請求項３３】
前記寸法変化量Δｗが、７０５≦Δｗ≦８００［ｐｐｍ／Ｎ］である請求項１から３０のいずれかに記載のカートリッジ。
【手続補正２】
【補正対象書類名】明細書
【補正対象項目名】０００７
【補正方法】変更
【補正の内容】
【０００７】
上述の課題を解決するために、本開示は、
テープ状の磁気記録媒体と、
カートリッジメモリを含むカートリッジであって、
磁気記録媒体は磁気記録媒体の長手方向に延在する複数のサーボバンドを有し、
磁気記録媒体を１／２インチ幅かつ２５０ｍｍの長さに切り出し、温度２５℃相対湿度５０％の環境下においた第１のサンプルの長手方向に０．２Ｎ、０．６Ｎ、１．０Ｎの順で荷重をかけ、０．２Ｎ、１．０Ｎの荷重における第１のサンプルの幅を測定し、以下の式より求めた、磁気記録媒体の長手方向のテンション変化に対する磁気記録媒体の幅方向の寸法変化量Δｗが、７００≦Δｗ≦８０００［ｐｐｍ／Ｎ］であり、
【数１】
2021007063.tif 000004
（但し、式中、Ｄ（０．２Ｎ）及びＤ（１．０Ｎ）はそれぞれ、第１のサンプルの長手方向に０．２Ｎ及び１．０Ｎの荷重をかけたときの第１のサンプルの幅を示す。）
カートリッジメモリが、
カートリッジが記録再生装置にロードされた状態において記録再生装置と通信を行う通信部と、
情報を記憶する記憶部と、
記録再生装置の要求に応じて、記憶部から情報を読み出し、通信部を介して記録再生装置に送信する制御部と
を備え、
情報は、磁気記録媒体の長手方向にかかるテンションを調整するための調整情報を含むカートリッジである。